(57)【要約】【課題】映像や音声などの情報をパケット化したものを、長い時間の観測情報をパケット単位で詳細に表示することを目的とする。【解決手段】パケットの内容を識別し、あらかじめ設定した識別情報に変換するパケット解析手段と、前記パケット解析手段の出力する識別情報を逐次記憶する記憶手段と、前記記憶手段に記憶された識別情報を画像表示装置上に所望の形状に表示されるよう画像表示装置の走査タイミングに合わせて読み出す読み出し手段と、前記読み出し手段によって読み出された識別情報を前記画像表示装置上での明るさならびに色彩を決定する画素情報に変換する画素変換手段とを備え、画像表示装置の表示できる二次元平面上にパケットの識別情報をリアルタイムにプロットすることによりネットワーク上を流れるパケットを可視化する。【選択図】  図１
2004222032.tif 000002
【特許請求の範囲】
【請求項１】
ネットワーク上に流れるパケットを可視化する表示装置であって、
パケットの内容を識別し、あらかじめ設定した識別情報に変換するパケット解析手段と、
前記パケット解析手段の出力する識別情報を逐次記憶する記憶手段と、
前記記憶手段に記憶された識別情報を画像表示装置上に所望の形状に表示されるよう画像表示装置の走査タイミングに合わせて読み出す読み出し手段と、
前記読み出し手段によって読み出された識別情報を前記画像表示装置上での明るさならびに色彩を決定する画素情報に変換する画素変換手段とを備え、
画像表示装置の表示できる二次元平面上にパケットの識別情報をリアルタイムにプロットすることによりネットワーク上を流れるパケットを可視化するネットワークパケットの表示装置。
【請求項２】
画像表示装置の表示できる矩形領域内にパケットの識別情報を表示するよう記憶手段を読み出す読み出し手段を備えた請求項１に記載のネットワークパケットの表示装置。
【請求項３】
矩形領域の一つの辺の長さを特定の時間周期に一致するよう記憶手段を読み出す読み出し手段を備えた請求項２に記載のネットワークパケットの表示装置。
【請求項４】
矩形領域の一つの辺の長さとなる特定の時間周期は、映像信号を運ぶネットワークパケットを可視化する場合にあっては、前記映像信号のフレーム周期、あるいはフレーム周期の整数倍、あるいはフレーム周期の整数分の１の時間周期である請求項３に記載のネットワークパケットの表示装置。
【請求項５】
矩形領域の一つの辺の長さとなる特定の時間周期は、音声信号を運ぶネットワークパケットを可視化する場合にあっては、前記音声信号のサンプリング周期、あるいはサンプリング周期の整数倍の時間周期である請求項３に記載のネットワークパケットの表示装置。
【請求項６】
パケットのプロトコルに応じた識別情報を出力するパケット解析手段と、識別情報に含まれるプロトコル情報に応じて画像表示装置上に表示される色彩が変化するよう画素情報に変換する画素変換手段とを備えた請求項１に記載のネットワークパケットの表示装置。
【請求項７】
パケットの送出アドレスあるいは宛先アドレスに応じた識別情報を出力するパケット解析手段と、識別情報に含まれるアドレス情報に応じて画像表示装置上に表示される色彩が変化するよう画素情報に変換する画素変換手段とを備えた請求項１に記載のネットワークパケットの表示装置。
【請求項８】
パケットの送出ポート番号あるいは宛先ポート番号に応じた識別情報を出力するパケット解析手段と、識別情報に含まれるポート番号情報に応じて画像表示装置上に表示される色彩が変化するよう画素情報に変換する画素変換手段とを備えた請求項１に記載のネットワークパケットの表示装置。
【発明の詳細な説明】
【０００１】
【発明の属する技術分野】
本発明は、ネットワークを流れるパケット、特にＩＰ（インターネットプロトコル）パケットを可視化する装置に関する。
【０００２】
【従来の技術】
ネットワークを流れるパケットを表示する方法として、従来、図５に示すように横軸に時間軸、縦軸にパケットのトラフィック量を取り、棒グラフや折れ線グラフで表示する方法が広く用いられている（例えば、特許文献１参照）。
例えば、時間とともに時々刻々変化するようなパケットの挙動を監視し、ネットワークにとっての負荷状況を把握することで、そのネットワークが全体として運ぶことができる最大容量を越えないようにすることで、通信の信頼性を保証する場合などに利用される。
【０００３】
【特許文献１】
特開平５−７５６２０号公報
【０００４】
【発明が解決しようとする課題】
ところで、映像や音声などの情報をパケット化したものをネットワーク上で観測する場合は、ファイル転送やリモートアクセスなどのアプリケーションで断続的に発生するパケットと比べて、継続的にパケットが発生するため、比較的長い時間間隔にわたって観測する必要がある。その一方で、映像や音声などの情報は、パケットの到着時刻が重要な意味を持つので、パケットの時間軸のゆらぎの観測が必要とされる場合が多い。
すなわち、比較的長い時間の観測情報をパケット単位で詳細に表示する必要がある。
【０００５】
しかしながら、パケットの表示方法として棒グラフや折れ線グラフを使う前記従来の表示方法では、表示できる時間の長さは表示装置の横軸の長さに制限されるため、長時間の表示を行うと詳細が表示できず、詳細を表示すると表示できる時間が短くなってしまう。
すなわち、長時間かつ詳細な表示を行うのは困難であった。
【０００６】
本発明は、前記従来の課題を解決するもので、時間軸を表示装置の表示できる２次元平面上とし、パケットの有無、プロトコルなどを、明るさや色彩によって表示する。これによって長時間かつ詳細な表示を可能とするものである。
【０００７】
【課題を解決するための手段】
第１の発明は、パケットの内容を識別し、あらかじめ設定した識別情報に変換するパケット解析手段と、パケット解析手段の出力する識別情報を逐次記憶する記憶手段と、記憶手段に記憶された識別情報を画像表示装置上に所望の形状に表示されるよう画像表示装置の走査タイミングに合わせて読み出す読み出し手段と、読み出し手段によって読み出された識別情報を前記画像表示装置上での明るさならびに色彩を決定する画素情報に変換する画素変換手段とを備えたネットワークパケットの表示装置としたものである。
第１の発明においては、時間軸を２次元にすることで、長時間の表示と詳細なパケット情報の表示を両立させることができる。
【０００８】
第２の発明は、画像表示装置の表示できる矩形領域内にパケットの識別情報を表示するよう記憶手段を読み出す読み出し手段を備えるネットワークパケットの表示装置としたものである。
第２の発明においては、主走査方向軸と副走査方向軸でできる矩形領域内に表示することで全体の時間経過を把握しやすくすることができる。
【０００９】
第３の発明は、矩形領域の一つの辺の長さを特定の時間周期に一致するよう記憶手段を読み出す読み出し手段を備えるネットワークパケットの表示装置としたものである。
第３の発明においては、主走査方向軸の長さを、パケットが運ぶ元の情報、例えば、映像や音声がもつ固有の時間軸に合わせることで、パケット間の相関を副走査方向に視覚的に確認することができる。
【００１０】
第４の発明は、矩形領域の一つの辺の長さとなる特定の時間周期は、映像信号を運ぶネットワークパケットを可視化する場合にあっては、前記映像信号のフレーム周期、あるいはフレーム周期の整数倍、あるいはフレーム周期の整数分の１の時間周期となるよう記憶手段を読み出す読み出し手段を備えるネットワークパケットの表示装置としたものである。
第４の発明においては、映像信号を運ぶパケットのフレーム間相関を視覚的に確認することができる。
【００１１】
第５の発明は、矩形領域の一つの辺の長さとなる特定の時間周期は、音声信号を運ぶネットワークパケットを可視化する場合にあっては、前記音声信号のサンプリング周期、あるいはサンプリング周期の整数倍の時間周期となるよう記憶手段を読み出す読み出し手段を備えるネットワークパケットの表示装置としたものである。
第５の発明においては、音声信号を運ぶパケットのパケット間相関を視覚的に確認することができる。
第６の発明は、パケットのプロトコルに応じた識別情報を出力するパケット解析手段と、識別情報に含まれるプロトコル情報に応じて画像表示装置上に表示される色彩が変化するよう画素情報に変換する画素変換手段とを備えるネットワークパケットの表示装置としたものである。
【００１２】
第６の発明においては、パケットのプロトコルの違いを表示装置上にプロットされる点の色彩の違いによって表示することができる。
【００１３】
第７の発明は、パケットの送出アドレスあるいは宛先アドレスに応じた識別情報を出力するパケット解析手段と、識別情報に含まれるアドレス情報に応じて画像表示装置上に表示される色彩が変化するよう画素情報に変換する画素変換手段とを備えるネットワークパケットの表示装置としたものである。
第７の発明においては、パケットの送出元ホストや宛先ホストの違いを表示装置上にプロットされる点の色彩の違いによって表示することができる。
【００１４】
第８の発明は、パケットの送出ポート番号あるいは宛先ポート番号に応じた識別情報を出力するパケット解析手段と、識別情報に含まれるポート番号情報に応じて画像表示装置上に表示される色彩が変化するよう画素情報に変換する画素変換手段とを備えるネットワークパケットの表示装置としたものである。
第８の発明においては、パケットの使用するポート番号の違いを表示装置上にプロットされる点の色彩の違いによって表示することができる。
【００１５】
【発明の実施の形態】
以下、図面を参照しながら、本発明の実施の形態にかかるネットワークパケットの表示装置について説明する。
【００１６】
図１は、本発明の実施の形態にかかるネットワークパケットの表示装置のブロック図である。
観測したいネットワークパケットを入力端子１０１から出力端子１０２に向けて流す。このネットワークパケットをアンプ１０３によって増幅し、パケット解析器１０４に入力する。
パケット解析器１０４では、ネットワークパケットの同期パタン検出、開始検出を行い、ネットワークパケットのヘッダ部分にある情報を読み取り、その情報に応じて予め決めておいた識別情報に変換する。
ヘッダ部分の長さは、ＩＰヘッダがオプション部を除く基本部分が２０バイト、ＵＤＰヘッダが８バイト、ＴＣＰヘッダがオプション部を除く基本部分が２０バイトであるが、パケット解析部１０４では、ある条件に一致するかどうかという判定条件によって、簡潔な１ワード、例えば１バイトの識別情報に変換する。
図２は、ＩＰヘッダと、ＵＤＰヘッダおよびＴＣＰヘッダの一部を示すビットフィールド図である。
例えば、ヘッダ内のＩＰアドレス情報は、送出元ＩＰアドレス４０２、宛先ＩＰアドレス４０３ともに４バイト、すなわち３２ビットの長さがあるが、これをあるアドレスに一致するかどうかの１ビットの情報に変換するのである。
同様に、プロトコル４０１の８ビットの情報、送出元ポート番号４０４ならびに宛先ポート番号４０５の１６ビットの情報を簡潔な識別情報に変換する。
パケット解析器１０４の出力する識別情報は逐次、メモリ１０５に記憶される。メモリ１０５上の書き込みアドレスは書き込みアドレス発生器１０６によって生成される。
図３はメモリ１０５に対してどのように書き込み、読み出しを行うかを示すためのメモリマップである。例えば、画像表示装置に、横６４０画素、縦４８０画素からなる矩形領域として表示する場合、図３（ａ）に示す、０番地から３０７８３９番地までを使用する。
これを図３（ｂ）のように、横６４０列、縦４８１行の２次元のメモリに見立て、書き込みアドレス発生器１０６では、特定の時間間隔、例えば、映像信号のフレーム周期にあたる時間の間に、１つの行に書き込みが行われるように書き込みアドレスを発生する。
その次のフレーム周期には、その書き込みが終わった次の行に書き込みが行われるように書き込みアドレスを発生する。例えば、映像信号がＮＴＳＣ方式の場合、１フレームは３３．３ミリ秒なので、３３．３ミリ秒でメモリの列番号０から、列番号６３９までを書き込む。いま、仮りに行番号ｉを書いていたとすると、その次の３３．３ミリ秒においては、行番号ｉ＋１に書き込みを行う。
すなわち、途切れることなくパケットの様子を観測しつづけることができる。
識別情報が記憶されたメモリ１０５を、表示装置の走査タイミングに合わせて
読み出しアドレス１０７の生成する読み出しアドレスに従って読み出す。
例えば、一般にＶＧＡと呼ばれる、フレーム周波数５９．９４Ｈｚ、水平走査周波数３１．４７ｋＨｚの画像表示装置に表示する場合、その有効水平走査期間は２６．１マイクロ秒であり、読み出しアドレス発生器１０７は、この有効水平走査期間中に列番号０から列番号６３９までを読み出すように読み出しアドレスを生成する。
仮りに行番号ｉへの書き込みが行われているとすると、読み出しアドレス発生器１０７では、行番号ｉへの書き込みが行われる３３．３ミリ秒の間に、その次の行番号ｉ＋１の行から、最終行の行番号４８０まで、そして先頭に戻って行番号０から行番号ｉ−１まで、すなわち書き込みが行われていない行番号すべてが読み出されるように、読み出しアドレスを生成する。
すなわち、書き込みを行っている行番号ｉ以外の４８０行分の識別情報をメモリ１０５から読み出す。ＶＧＡに場合、フレーム周波数がＮＴＳＣ方式の２倍なので、実際には書き込みを行っている行番号ｉ以外の４８０行を２回読み出すことになる。
読み出された識別情報は、カラーパレット１０８によって、画像表示装置上での明るさや色彩を決定する３原色の強さを表す情報のセットに変換される。
例えば、特定の識別情報を表示装置上に赤く表示したい場合は、その識別情報の入力に対して、赤１００％、緑０％、青０％となるような情報のセットに変換する。
Ｄ／Ａ変換器１０９では、カラーパレット１０８の出力する３原色の強さを表す情報のセットを実際のアナログ電気電圧に変換する。画像表示装置であるモニタ１１０には、Ｄ／Ａ変換器１０９からの映像信号と、読み出しアドレス発生器１０７からの同期信号を受けて、画像として表示する。
図４は、本発明の実施の形態にかかるネットワークパケットの表示装置によって得られるパケットの表示画像の模式図であり、映像信号をパケット化したものをその映像信号のフレーム周期が表示領域の横軸に一致するようにメモリ１０５の書き込み読み出しを行った場合である。
図４（ａ）はネットワーク上に映像信号をパケット化したネットワークパケットのみが流れている場合である。画像表示装置の２次元平面を利用して表示することができるので、１次元的にしか利用しない図５などに比べ、長時間にわたって表示することができる。
そして本発明の実施の形態にかかるネットワークパケットの表示装置によってパケットを表示すると、映像信号本来のフレーム周期間の時間相関が現れるため図に示すように縦方向にパケットが並ぶ（ハッチング部分）。
図４（ｂ）はネットワーク上に、映像信号をパケット化したネットワークパケットと他のパケットが混在している場合である。パケット間の干渉によってパケットの時間位置がずれてしまった場合には、画面上でそれを確認することができる。
また、注目している映像信号を運ぶパケットは前述のように時間相関があるため、縦方向の模様となって現れるが、時間相関がない他のパケットはそのようには現れず、かつ、パケット解析器１０４によって識別されるため、モニタ１１０上に、映像信号を運ぶパケットとは異なった明るさ或いは色彩で表示されるため、容易にパケット間の干渉の様子を認識できる。
図４（ｃ）は、映像信号を運ぶパケットがなんらかの原因で欠落してしまった場合である。この場合も、縦方向に並ぶべきパケットの表示が欠けることによって容易にネットワーク上のパケットの欠落を認識することができる。
なお、表示されたパケットのより細部を観察したい場合には、横軸の長さをフレーム周期の整数分の１になるように、書き込みアドレス発生器１０６と読み出しアドレス発生器１０７の生成するアドレス情報を調節すればよい。
あるいは、より長い期間の表示を行いたい場合には逆に、横軸の長さをフレーム周期の整数倍になるように調節を行う。
なお、上記の実施例では映像信号を運ぶパケットを例として説明したが、音声信号の場合は、映像信号のフレーム周期を音声のサンプリング周期として扱えば同様の効果が得られる。ただし、音声の場合、サンプリングあたりのデータ量は少ないため、パケット化する際にいくつかのサンプリングのデータを集めてパケット化を行う。
例えば、８ｋＨｚでサンプリングを行い、非線形量子化で１サンプリングあたり８ビットのデータに圧縮した場合、１６０サンプル集めて１６０バイトとし、この単位でパケット化を行う。この場合はサンプリング周期の１６０倍の期間、すなわち２０ミリ秒を映像信号の場合のフレーム周期に代えて使用すればよい。
また、すべての処理をハードウェア的に行うことで、パケット表示をリアルタイムに行うことができる。これにより、映像や音声をネットワークで伝送する際に、突発的な品質の劣化が発生したとしても、本発明のネットワークパケットの表示装置によってパケットの様子を途切れなく観測することができるので、対応づけが容易にできる。
上記のように、本発明の実施の形態にかかるネットワークパケットの表示装置においては、比較的長時間にわたりパケットを観察することができ、映像信号や音声信号時間軸上の自己相関がある信号を運ぶパケットを表示する場合には画像表示装置上において、特徴的に配列させることができるとともに、その表示の明るさや色彩を区別することで、他のパケットと容易に識別することができる。
【００１７】
【発明の効果】
以上のように、本発明の実施の形態にかかるネットワークパケットの表示装置においては、比較的長時間にわたりパケットを観察することができ、映像信号や音声信号時間軸上の自己相関がある信号を運ぶパケットを表示する場合には画像表示装置上において、特徴的に配列させることができるとともに、その表示の明るさや色彩を区別することで、他のパケットと容易に識別することができる。
【図面の簡単な説明】
【図１】本発明の実施の形態にかかるネットワークパケットの表示装置のブロック図
【図２】ネットワークパケットのヘッダを示すビットフィールド図
【図３】識別情報を記憶するメモリのメモリマップを示す図
【図４】本発明の実施の形態にかかるネットワークパケットの表示装置によるパケット表示画像の模式図
【図５】従来例におけるネットワークパケットの表示を示す模式図
【符号の説明】
１０１  入力端子
１０２  出力端子
１０３  アンプ
１０４  パケット解析器
１０５  メモリ
１０６  書き込みアドレス発生器
１０７  読み出しアドレス発生器
１０８  カラーパレット
１０９  Ｄ／Ａ変換器
１１０  モニタ
【図１】
2004222032.tif 000003
【図２】
2004222032.tif 000004
【図３】
2004222032.tif 000005
【図４】
2004222032.tif 000006
【図５】
2004222032.tif 000007
【手続補正書】
【提出日】平成15年9月22日(2003.9.22)
【手続補正１】
【補正対象書類名】明細書
【補正対象項目名】請求項１
【補正方法】変更
【補正の内容】
【請求項１】
ネットワーク上に流れるパケットを可視化する表示装置であって、
パケットの内容を識別し、あらかじめ設定した識別情報に変換するパケット解析手段と、
前記パケット解析手段の出力する識別情報を前記パケットの発生時刻ならびに前記パケットの長さと関連づけて逐次記憶する記憶手段と、
前記記憶手段に記憶された識別情報を画像表示装置上の前記パケットの発生時刻に対応する座標に前記パケットの長さに略比例する大きさで表示されるよう画像表示装置の走査タイミングに合わせて読み出す読み出し手段と、
前記読み出し手段によって読み出された識別情報を前記画像表示装置上での明るさならびに色彩を決定する画素情報に変換する画素変換手段とを備え、
画像表示装置の表示できる二次元平面上にパケットの識別情報をリアルタイムにプロットすることによりネットワーク上を流れるパケットを可視化するネットワークパケットの表示装置。
【手続補正２】
【補正対象書類名】明細書
【補正対象項目名】０００７
【補正方法】変更
【補正の内容】
【０００７】
【課題を解決するための手段】
第１の発明は、パケットの内容を識別し、あらかじめ設定した識別情報に変換するパケット解析手段と、パケット解析手段の出力する識別情報をパケットの発生時刻ならびにパケットの長さと関連づけて逐次記憶する記憶手段と、記憶手段に記憶された識別情報を画像表示装置上の前記パケットの発生時刻に対応する座標に前記パケットの長さに略比例する大きさで表示されるよう画像表示装置の走査タイミングに合わせて読み出す読み出し手段と、読み出し手段によって読み出された識別情報を前記画像表示装置上での明るさならびに色彩を決定する画素情報に変換する画素変換手段とを備えたネットワークパケットの表示装置としたものである。


【手続補正３】
【補正対象書類名】明細書
【補正対象項目名】００１６
【補正方法】変更
【補正の内容】
【００１６】
図１は、本発明の実施の形態にかかるネットワークパケットの表示装置のブロック図である。
観測したいネットワークパケットを入力端子１０１から出力端子１０２に向けて流す。このネットワークパケットをアンプ１０３によって増幅し、パケット解析器１０４に入力する。
パケット解析器１０４では、ネットワークパケットの同期パタン検出、開始検出を行い、ネットワークパケットのヘッダ部分にある情報を読み取り、その情報に応じて予め決めておいた識別情報に変換する。
ヘッダ部分の長さは、ＩＰヘッダがオプション部を除く基本部分が２０バイト、ＵＤＰヘッダが８バイト、ＴＣＰヘッダがオプション部を除く基本部分が２０バイトであるが、パケット解析部１０４では、ある条件に一致するかどうかという判定条件によって、簡潔な１ワード、例えば１バイトの識別情報に変換する。
図２は、ＩＰヘッダと、ＵＤＰヘッダおよびＴＣＰヘッダの一部を示すビットフィールド図である。
例えば、ヘッダ内のＩＰアドレス情報は、送出元ＩＰアドレス４０２、宛先ＩＰアドレス４０３ともに４バイト、すなわち３２ビットの長さがあるが、これをあるアドレスに一致するかどうかの１ビットの情報に変換するのである。
同様に、プロトコル４０１の８ビットの情報、送出元ポート番号４０４ならびに宛先ポート番号４０５の１６ビットの情報を簡潔な識別情報に変換する。
パケット解析器１０４の出力する識別情報は逐次、メモリ１０５に記憶される。メモリ１０５上の書き込みアドレスは書き込みアドレス発生器１０６によって生成される。
図３はメモリ１０５に対してどのように書き込み、読み出しを行うかを示すためのメモリマップである。例えば、画像表示装置に、横６４０画素、縦４８０画素からなる矩形領域として表示する場合、図３（ａ）に示す、０番地から３０７８３９番地までを使用する。
これを図３（ｂ）のように、横６４０列、縦４８１行の２次元のメモリに見立て、書き込みアドレス発生器１０６では、特定の時間間隔、例えば、映像信号のフレーム周期にあたる時間の間に、１つの行に書き込みが行われるように書き込みアドレスを発生する。
その次のフレーム周期には、その書き込みが終わった次の行に書き込みが行われるように書き込みアドレスを発生する。例えば、映像信号がＮＴＳＣ方式の場合、１フレームは３３．３ミリ秒なので、３３．３ミリ秒でメモリの列番号０から、列番号６３９までを書き込む。いま、仮に行番号ｉを書いていたとすると、その次の３３．３ミリ秒においては、行番号ｉ＋１に書き込みを行う。
すなわち、途切れることなくパケットの様子を観測しつづけることができる。
識別情報が記憶されたメモリ１０５を、表示装置の走査タイミングに合わせて読み出しアドレス１０７の生成する読み出しアドレスに従って読み出す。
例えば、一般にＶＧＡと呼ばれる、フレーム周波数５９．９４Ｈｚ、水平走査周波数３１．４７ｋＨｚの画像表示装置に表示する場合、その有効水平走査期間は２６．１マイクロ秒であり、読み出しアドレス発生器１０７は、この有効水平走査期間中に列番号０から列番号６３９までを読み出すように読み出しアドレスを生成する。
仮に行番号ｉへの書き込みが行われているとすると、読み出しアドレス発生器１０７では、行番号ｉへの書き込みが行われる３３．３ミリ秒の間に、その次の行番号ｉ＋１の行から、最終行の行番号４８０まで、そして先頭に戻って行番号０から行番号ｉ−１まで、すなわち書き込みが行われていない行番号すべてが読み出されるように、読み出しアドレスを生成する。
すなわち、書き込みを行っている行番号ｉ以外の４８０行分の識別情報をメモリ１０５から読み出す。ＶＧＡの場合、フレーム周波数がＮＴＳＣ方式の２倍なので、実際には書き込みを行っている行番号ｉ以外の４８０行を２回読み出すことになる。
読み出された識別情報は、カラーパレット１０８によって、画像表示装置上での明るさや色彩を決定する３原色の強さを表す情報のセットに変換される。
例えば、特定の識別情報を表示装置上に赤く表示したい場合は、その識別情報の入力に対して、赤１００％、緑０％、青０％となるような情報のセットに変換する。
Ｄ／Ａ変換器１０９では、カラーパレット１０８の出力する３原色の強さを表す情報のセットを実際のアナログ電気電圧に変換する。画像表示装置であるモニタ１１０には、Ｄ／Ａ変換器１０９からの映像信号と、読み出しアドレス発生器１０７からの同期信号を受けて、画像として表示する。
図４は、本発明の実施の形態にかかるネットワークパケットの表示装置によって得られるパケットの表示画像の模式図であり、映像信号をパケット化したものをその映像信号のフレーム周期が表示領域の横軸に一致するようにメモリ１０５の書き込み読み出しを行った場合である。
図４（ａ）はネットワーク上に映像信号をパケット化したネットワークパケットのみが流れている場合である。画像表示装置の２次元平面を利用して表示することができるので、１次元的にしか利用しない図５などに比べ、長時間にわたって表示することができる。
そして本発明の実施の形態にかかるネットワークパケットの表示装置によってパケットを表示すると、映像信号本来のフレーム周期間の時間相関が現れるため図に示すように縦方向にパケットが並ぶ(ハッチング部分)。
図４（ｂ）はネットワーク上に、映像信号をパケット化したネットワークパケットと他のパケットが混在している場合である。パケット間の干渉によってパケットの時間位置がずれてしまった場合には、画面上でそれを確認することができる。
また、注目している映像信号を運ぶパケットは前述のように時間相関があるため、縦方向の模様となって現れるが、時間相関がない他のパケットはそのようには現れず、かつ、パケット解析器１０４によって識別されるため、モニタ１１０上に、映像信号を運ぶパケットとは異なった明るさ或いは色彩で表示されるため、容易にパケット間の干渉の様子を認識できる。
図４（ｃ）は、映像信号を運ぶパケットがなんらかの原因で欠落してしまった場合である。この場合も、縦方向に並ぶべきパケットの表示が欠けることによって容易にネットワーク上のパケットの欠落を認識することができる。
なお、表示されたパケットのより細部を観察したい場合には、横軸の長さをフレーム周期の整数分の１になるように、書き込みアドレス発生器１０６と読み出しアドレス発生器１０７の生成するアドレス情報を調節すればよい。
あるいは、より長い期間の表示を行いたい場合には逆に、横軸の長さをフレーム周期の整数倍になるように調節を行う。
なお、上記の実施例では映像信号を運ぶパケットを例として説明したが、音声信号の場合は、映像信号のフレーム周期を音声のサンプリング周期として扱えば同様の効果が得られる。ただし、音声の場合、サンプリングあたりのデータ量は少ないため、パケット化する際にいくつかのサンプリングのデータを集めてパケット化を行う。
例えば、８ｋＨｚでサンプリングを行い、非線形量子化で１サンプリングあたり８ビットのデータに圧縮した場合、１６０サンプル集めて１６０バイトとし、この単位でパケット化を行う。この場合はサンプリング周期の１６０倍の期間、すなわち２０ミリ秒を映像信号の場合のフレーム周期に代えて使用すればよい。
また、すべての処理をハードウェア的に行うことで、パケット表示をリアルタイムに行うことができる。これにより、映像や音声をネットワークで伝送する際に、突発的な品質の劣化が発生したとしても、本発明のネットワークパケットの表示装置によってパケットの様子を途切れなく観測することができるので、対応づけが容易にできる。
上記のように、本発明の実施の形態にかかるネットワークパケットの表示装置においては、比較的長時間にわたりパケットを観察することができ、映像信号や音声信号時間軸上の自己相関がある信号を運ぶパケットを表示する場合には画像表示装置上において、特徴的に配列させることができるとともに、その表示の明るさや色彩を区別することで、他のパケットと容易に識別することができる。